(57)【要約】【課題】需要家施設に発電装置が設置されていない場合でもホーム画面で表示される情報量を増やす。【解決手段】情報端末装置３の表示制御部３２は、需要家施設に発電装置が設置されており、計測システムから取得部３１が取得した電力データに使用電力データと発電電力データとが含まれているときは、表示部３４に表示させる画面の表示態様を、発電電力データ及び使用電力データをホーム画面に表示させる第１表示態様とする。表示制御部３２は、需要家施設に発電装置が設置されていないときは、表示部３４に表示させる画面の表示態様を、第１表示態様のホーム画面で表示される発電電力データの代わりの代替データ、及び使用電力データをホーム画面に表示させる第２表示態様とする。【選択図】図２
2018007472.tif 000002
【特許請求の範囲】
【請求項１】
表示部を有する情報端末装置の制御方法であって、
需要家施設において使用電力に関する使用電力データを少なくとも含む電力データを計測する計測システムから前記電力データを受け取る第１ステップと、
前記電力データを前記表示部に表示させる第２ステップとを含み、
前記第２ステップにおいて、
前記需要家施設に１以上の発電装置が設置されており、前記電力データに、前記使用電力データと、前記発電装置の発電電力に関する発電電力データとが含まれているときは、前記表示部に表示させる画面の表示態様を、前記発電電力データ及び前記使用電力データをホーム画面に表示させる第１表示態様とし、
前記需要家施設に発電装置が設置されていないときは、前記表示部に表示させる画面の表示態様を、前記第１表示態様のホーム画面で表示される前記発電電力データの代わりの代替データ、及び前記使用電力データをホーム画面に表示させる第２表示態様とする、
ことを特徴とする情報端末装置の制御方法。
【請求項２】
前記計測システムから受け取った設定情報をもとに、前記需要家施設に発電装置が設置されているか否かを判断する第３ステップを、さらに含む、
ことを特徴とする請求項１に記載の情報端末装置の制御方法。
【請求項３】
前記代替データは、前記第１表示態様においてホーム画面とは別の画面に表示されるデータである、
ことを特徴とする請求項１又は２に記載の情報端末装置の制御方法。
【請求項４】
前記第２ステップにおいて、
前記第１表示態様のホーム画面には、前記発電電力データと、前記使用電力データと、買電電力に関する買電電力データとを表示させ、
前記第２表示態様のホーム画面には、前記買電電力データを表示させない、
ことを特徴とする請求項１〜３のいずれかに記載の情報端末装置の制御方法。
【請求項５】
前記第２ステップにおいて、
前記第１表示態様のホーム画面には、前記発電電力データと、前記使用電力データと、買電電力に関する買電電力データと、売電電力に関する売電電力データとを表示させる、
ことを特徴とする請求項１〜４のいずれかに記載の情報端末装置の制御方法。
【請求項６】
前記第２ステップにおいて、
前記需要家施設に複数の前記発電装置が設置されているときに、前記第１表示態様のホーム画面には、前記複数の発電装置のそれぞれについて前記発電電力データを表示させる、
ことを特徴とする請求項１〜５のいずれかに記載の情報端末装置の制御方法。
【請求項７】
前記第２ステップにおいて、
前記第１表示態様のホーム画面に、前記発電電力データ及び前記使用電力データの瞬時値を表示させるか、前記発電電力データ及び前記使用電力データの積算電力を表示させるかを選択する第４ステップを、さらに含む、
ことを特徴とする請求項１〜６のいずれかに記載の情報端末装置の制御方法。
【請求項８】
前記第２ステップにおいて、現在の前記電力データと、過去の所定期間における前記電力データとの対比結果を示す対比情報をホーム画面に表示する、
ことを特徴とする請求項１〜７のいずれかに記載の情報端末装置の制御方法。
【請求項９】
コンピュータに、請求項１〜８のいずれか１項に記載の情報端末装置の制御方法を実行させるための
制御プログラム。
【請求項１０】
需要家施設に設けられた分電盤に設置される通信装置と、前記需要家施設における電力データを表示する情報端末装置とを備え、
前記通信装置は、前記需要家施設において使用電力に関する使用電力データを少なくとも含む電力データを計測する計測システムから前記電力データを取得して、前記情報端末装置に出力するように構成され、
前記情報端末装置は、前記通信装置から前記電力データを受け取る取得部と、表示部と、前記電力データを前記表示部に表示させる表示制御部とを備え、
前記表示制御部は、前記需要家施設に１以上の発電装置が設置されており、前記電力データに、前記使用電力データと、前記発電装置の発電電力に関する発電電力データとが含まれているときは、前記表示部に表示させる画面の表示態様を、前記発電電力データ及び前記使用電力データをホーム画面に表示させる第１表示態様とし、
前記表示制御部は、前記需要家施設に発電装置が設置されていないときは、前記表示部に表示させる画面の表示態様を、前記第１表示態様のホーム画面で表示される前記発電電力データの代わりの代替データ、及び前記使用電力データをホーム画面に表示させる第２表示態様とする、
ことを特徴とする情報表示システム。
【発明の詳細な説明】
【技術分野】
【０００１】
本発明は、情報端末装置の制御方法、制御プログラム、及び情報表示システムに関し、とくに、電力データを表示する情報端末装置の制御方法、制御プログラム、及び情報表示システムに関する。
【背景技術】
【０００２】
従来、需要家内に設置される様々な機器及びシステムによって消費される電力量を監視し、また、各機器及びシステムの動作を制御するエネルギーマネジメントシステムがあった（例えば特許文献１参照）。
【０００３】
エネルギーマネジメントシステムは、宅内に設置される家電機器又はシステムを制御可能なコントローラを備えている。コントローラが備える表示デバイスには、エネルギーマネジメントシステムの現在の状態を閲覧したり、各機器又はシステムへの遠隔操作の指示を入力したりすることができる管理画面が表示される。この管理画面には、消費電力と発電量と売電量とをグラフで表示するグラフガジェットがある。
【先行技術文献】
【特許文献】
【０００４】
【特許文献１】特開２０１５−３５００９号公報
【発明の概要】
【発明が解決しようとする課題】
【０００５】
特許文献１のエネルギーマネジメントシステムでは、管理画面のグラフガジェットに、消費電力と発電量と売電量とがグラフで表示されている。そのため、需要家施設に発電装置が設けられていない場合には、発電量と買電量の表示スペースが無駄になり、１つの画面（ホーム画面）で表示される情報量が少なくなるという問題があった。
【０００６】
本発明の目的は、需要家施設に発電装置が設置されていない場合でもホーム画面で表示される情報量を増やすことができる情報端末装置の制御方法、制御プログラム、及び情報表示システムを提供することにある。
【課題を解決するための手段】
【０００７】
本発明の一態様の情報端末装置の制御方法は、表示部を有する情報端末装置の制御方法である。本発明の一態様の制御方法は、需要家施設において使用電力に関する使用電力データを少なくとも含む電力データを計測する計測システムから前記電力データを受け取る第１ステップと、前記電力データを前記表示部に表示させる第２ステップとを含む。本発明の一態様の制御方法では、前記第２ステップにおいて、前記需要家施設に１以上の発電装置が設置されており、前記電力データに、前記使用電力データと、前記発電装置の発電電力に関する発電電力データとが含まれているときは、前記表示部に表示させる画面の表示態様を、前記発電電力データ及び前記使用電力データをホーム画面に表示させる第１表示態様とする。本発明の一態様の制御方法では、前記第２ステップにおいて、前記需要家施設に発電装置が設置されていないときは、前記表示部に表示させる画面の表示態様を、前記第１表示態様のホーム画面で表示される前記発電電力データの代わりの代替データ、及び前記使用電力データをホーム画面に表示させる第２表示態様とする。
【０００８】
本発明の一態様の制御プログラムは、コンピュータに、上記の情報端末装置の制御方法を実行させるための制御プログラムである。
【０００９】
本発明の一態様の情報表示システムは、需要家施設に設けられた分電盤に設置される通信装置と、前記需要家施設における電力データを表示する情報端末装置とを備える。前記通信装置は、前記需要家施設において使用電力に関する使用電力データを少なくとも含む電力データを計測する計測システムから前記電力データを取得して、前記情報端末装置に出力するように構成される。前記情報端末装置は、前記通信装置から前記電力データを受け取る取得部と、表示部と、前記電力データを前記表示部に表示させる表示制御部とを備える。前記表示制御部は、前記需要家施設に１以上の発電装置が設置されており、前記電力データに、前記使用電力データと、前記発電装置の発電電力に関する発電電力データとが含まれているときは、前記表示部に表示させる画面の表示態様を、前記発電電力データ及び前記使用電力データをホーム画面に表示させる第１表示態様とする。前記表示制御部は、前記需要家施設に発電装置が設置されていないときは、前記表示部に表示させる画面の表示態様を、前記第１表示態様のホーム画面で表示される前記発電電力データの代わりの代替データ、及び前記使用電力データをホーム画面に表示させる第２表示態様とする。
【発明の効果】
【００１０】
本発明によれば、需要家施設に発電装置が設置されていない場合でもホーム画面で表示される情報量を増やすことができる。
【図面の簡単な説明】
【００１１】
【図１】図１は、本発明の一実施形態に係る情報表示システムを用いた全体システムのシステム構成図である。
【図２】図２は、同上の情報表示システムが備える情報端末装置のブロック図である。
【図３】図３は、同上の情報表示システムが備える通信装置のブロック図である。
【図４】図４Ａは、同上の情報表示システムが備える情報端末装置の第１表示態様でのホーム画面の説明図である。図４Ｂは、同上の情報表示システムが備える情報端末装置の第２表示態様でのホーム画面の説明図である。
【図５】図５Ａ、図５Ｂは、同上の情報表示システムが備える情報端末装置の第１表示態様でのホーム画面から遷移した画面の説明図である。
【図６】図６Ａ、図６Ｂ、図６Ｃは、同上の情報表示システムが備える情報端末装置の第１表示態様でのホーム画面の説明図である。
【発明を実施するための形態】
【００１２】
以下に説明する実施形態は、本発明に係る情報端末装置の制御方法、制御プログラム、及び情報表示システムの一例にすぎない。本発明は、以下の実施形態に限定されず、以下の実施形態は、本発明の目的を達成できれば、設計等に応じて種々の変更が可能である。
【００１３】
（１）情報表示システムの概要
本実施形態では、需要家施設（facility）における電力データを表示する機能を、基本的な機能として有する情報表示システムについて説明する。
【００１４】
ここでいう「需要家施設」は、電力の需要家の施設を意味しており、電力会社等の電気事業者から電力の供給を受ける施設である。本実施形態では、需要家施設には、太陽光発電装置などの発電装置が設けられているが、発電装置は必須ではない。本実施形態では、戸建住宅を需要家施設の一例として説明する。
【００１５】
図１は、本実施形態の情報表示システム１を含む全体システムのシステム構成図である。本実施形態の情報表示システム１は、需要家施設１０に設けられた分電盤６に設置される通信装置２と、需要家施設１０における電力データを表示する情報端末装置３とを備える。
【００１６】
通信装置２は、需要家施設１０において使用電力に関する使用電力データを少なくとも含む電力データを計測する計測システム４から電力データを取得して、情報端末装置３に出力するように構成される。
【００１７】
情報端末装置３は、図２に示すように、通信装置２から電力データを受け取る取得部３１と、表示部３４と、電力データを表示部３４に表示させる表示制御部３２とを備える。
【００１８】
表示制御部３２は、需要家施設１０に１以上の発電装置９０が設置されており、電力データに、使用電力データと、発電装置９０の発電電力に関する発電電力データとが含まれているときは、表示部３４に表示させる画面の表示態様を、発電電力データ及び使用電力データをホーム画面に表示させる第１表示態様とする。
【００１９】
表示制御部３２は、需要家施設１０に発電装置９０が設置されていないときは、表示部３４に表示させる画面の表示態様を、第１表示態様のホーム画面で表示される発電電力データの代わりの代替データ、及び使用電力データをホーム画面に表示させる第２表示態様とする。
【００２０】
このように、需要家施設１０に発電装置９０が設置されていない場合には、表示制御部３２が、第１表示態様のホーム画面で表示される発電電力データの代わりの代替データと使用電力データとをホーム画面に表示させている。したがって、需要家施設１０に発電装置９０が設置されていない場合でも、ホーム画面で表示される情報量を増やすことができる。なお、ホーム画面とは、情報端末装置３に使用電力データを確認するための画面を表示させる操作を行ったときに、最初に表示される画面を意味している。
【００２１】
（２）詳細
以下、本実施形態に係る情報端末装置の制御方法、制御プログラム、及び情報表示システムについて図１〜図５を参照して詳しく説明する。
【００２２】
図１は、情報表示システムを用いた全体システムのシステム構成図である。
【００２３】
需要家施設１０には、商用電源（例えばＡＣ１００／２００Ｖ、５０／６０Ｈｚの交流電源）のような交流電源８から供給される電力を分岐回路７０に分配するための分電盤６が設置されている。
【００２４】
分電盤６は、主幹ブレーカ６１と、複数の分岐ブレーカ６２と、連系ブレーカ６３，６４と、計測ユニット４１と、通信装置２とをキャビネット内に備えている。
【００２５】
主幹ブレーカ６１は交流電源８に電気的に接続されている。
【００２６】
複数の分岐ブレーカ６２は主幹ブレーカ６１の二次側に電気的に接続されている。
【００２７】
需要家施設１０には、発電装置９０として、太陽光発電装置９１と燃料電池９４との２つの発電装置が設置されている。太陽光発電装置９１は、太陽電池パネル９２と、太陽電池パネル９２が発生した直流電力を交流に変換するパワーコンディショナ９３とを備えている。連系ブレーカ６３は太陽光発電装置９１を交流電源８に接続するために用いられる。連系ブレーカ６３は主幹ブレーカ６１の一次側に電気的に接続されている。連系ブレーカ６４は燃料電池９４を主幹ブレーカ６１の二次側の幹線に接続するために用いられる。なお、太陽光発電装置９１で発電された電力は交流電源８に逆潮流させることができるが、燃料電池９４で発電された電力は需要家施設１０において消費される。
【００２８】
本実施形態では、需要家施設１０において使用電力に関する使用電力データを少なくとも含む電力データを計測する計測システム４と、計測システム４で計測された電力データを情報端末装置３に表示させる情報表示システム１とが設けられている。以下に、各システムについて説明する。
【００２９】
（２．１）計測システム
計測システム４は、計測ユニット４１と、電流センサ４２，４３，４４と、通信装置２とを備えている。
【００３０】
計測ユニット４１は、電流センサ４２，４３，４４に電気的に接続されている。
【００３１】
電流センサ４２は、主幹ブレーカ６１の一次側（連系ブレーカ６３よりも交流電源８側）に設けられ、主幹ブレーカ６１の一次側の幹線を流れる電流の値を計測する。
【００３２】
電流センサ４３は、複数の分岐ブレーカ６２のそれぞれに対応して設けられ、複数の分岐回路７０に流れる電流の値をそれぞれ計測する。ここでいう「分岐回路」は、分岐ブレーカ６２によって幹線から分岐された回路を意味する。分岐回路７０には、分岐ブレーカ６２に接続される配線、照明器具や調理家電などの負荷機器８０、コンセント（アウトレット）、壁スイッチなどを含んでいる。このような分岐回路７０は、本実施形態のように住宅からなる需要家施設１０においては、たとえばリビング、寝室、玄関、トイレ、子供部屋、キッチン等の部屋ごと、又は照明器具、調理家電、エアコン（エアーコンディショナ）などの負荷機器８０の種類ごとに設けられる。
【００３３】
ところで、本実施形態では、燃料電池９４を接続するための連系ブレーカ６４が分岐ブレーカ６２と並んで配置されている。したがって、電流センサ４３は、燃料電池９４から連系ブレーカ６４を介して幹線に流れる電流を計測する。
【００３４】
電流センサ４４は、連系ブレーカ６３とパワーコンディショナ９３とを接続する電線に設けられ、太陽光発電装置９１の出力電流を計測する。
【００３５】
計測ユニット４１は、例えば主幹ブレーカ６１の二次側から幹線の電圧を計測する。
【００３６】
計測ユニット４１は、幹線の電圧の計測結果と、電流センサ４２の計測結果とを用いて、主幹ブレーカ６１の一次側での主幹電力（瞬時値）を所定の計測間隔（例えば数秒間隔）で計測する。ここで、交流電源８から需要家施設１０に電力が供給される場合は計測ユニット４１で計測される主幹電力は正の値となり、主幹電力が買電電力の瞬時値となる。需要家施設１０から交流電源８に電力が逆潮流（売電）される場合は、計測ユニット４１で計測される主幹電力は負の値となり、主幹電力の絶対値が売電電力の瞬時値となる。
【００３７】
計測ユニット４１は、幹線の電圧の計測結果と、電流センサ４３の計測結果とを用いて、各分岐回路７０の使用電力（瞬時値）、及び燃料電池９４で発生した発電電力（瞬時値）を所定の計測間隔で計測する。
【００３８】
計測ユニット４１は、幹線の電圧の計測結果と、電流センサ４４の計測結果とを用いて、太陽光発電装置９１で発生した発電電力（瞬時値）を所定の計測間隔で計測する。
【００３９】
なお、計測ユニット４１は、電流センサ４２によって計測された幹線の電流値から各分岐回路７０の使用電力量を取得してもよい。
【００４０】
通信装置２は、計測ユニット４１で計測された電力データを、情報端末装置３に出力する。通信装置２は、図３に示すように、演算処理部２０と、入力部２１と、記憶部２２と、操作部２３と、表示部２４と、通信部２５とを備えている。
【００４１】
演算処理部２０は、例えばＣＰＵ（Central Processing Unit）およびメモリを有するコンピュータを主構成とする。ＣＰＵがメモリに格納されているプログラムを実行することによって、通信装置２の機能が実現される。プログラムは、コンピュータのメモリに、あらかじめ記録されているが、インターネットなどの電気通信回線を通じて提供されてもよいし、メモリカードなどの記録媒体に記録されて提供されてもよい。
【００４２】
入力部２１には、計測ユニット４１によって計測された電力データが計測ユニット４１から入力される。
【００４３】
記憶部２２は、例えば、ＥＥＰＲＯＭ（Electrically Erasable and Programmable Read Only Memory）又はフラッシュメモリなどの電気的に書き換え可能な不揮発性メモリからなる。
【００４４】
操作部２３は、複数の操作ボタンなどからなる。操作部２３を用いて電流センサ４２，４３，４４で計測する負荷の種類（１００Ｖ負荷、又は２００Ｖ負荷）や発電装置の有無などを入力することができる。
【００４５】
表示部２４は、例えば７セグメントの２桁の表示器や複数のＬＥＤランプなどからなり、表示部２４の表示状態は演算処理部２０によって制御される。
【００４６】
通信部２５は、例えばＥｔｈｅｒｎｅｔ（登録商標）規格に準拠した通信モジュールからなる。通信部２５は、信号線を介して無線ルータ５に接続され、無線ルータ５を介して情報端末装置３と通信を行う。
【００４７】
ここで、電流センサ４２，４３，４４で計測される負荷の種類や発電装置の有無などを設定する場合、演算処理部２０は、記憶部２２に記憶されている現在の設定内容を表示部２４に表示させる。操作部２３を用いて設定内容が変更されると、演算処理部２０は変更後の設定内容を表示部２４に表示させる。
【００４８】
また、計測ユニット４１によって各種の電力データが計測されると、計測ユニット４１から入力部２１に電力データが入力される。演算処理部２０は、入力部２１に入力された電力データ（主幹電力、各分岐回路の使用電力、太陽光発電装置９１及び燃料電池９４の発電電力）を記憶部２２に記憶させる。また、演算処理部２０は、主幹電力、各分岐回路の使用電力、太陽光発電装置９１及び燃料電池９４の発電電力をそれぞれ積算することで、所定の期間（例えば３０分、１日、１か月）ごとの主幹電力量、各分岐回路の使用電力量、太陽光発電装置９１及び燃料電池９４の発電電力量を求める。演算処理部２０は、所定の期間ごとの主幹電力量、各分岐回路の使用電力量、太陽光発電装置９１及び燃料電池９４の発電電力量を記憶部２２に記憶させる。
【００４９】
そして、通信部２５が情報端末装置３から電力データの送信要求を受信すると、演算処理部２０は、記憶部２２から電力データを読み出して、通信部２５から情報端末装置３に送信させる。通信部２５は、送信する電力データの種類ごとに格納するデータエリアが決められているデータ形式の送信データを作成し、この送信データを情報端末装置３に送信する。
【００５０】
（２．２）情報表示システム
情報表示システム１は、計測システム４の通信装置２と、情報端末装置３とを備える。本実施形態では、通信装置２は情報表示システム１と計測システム４とで共用される。
【００５１】
情報端末装置３は、スマートフォンやタブレット端末などの携帯端末であり、需要家施設１０における電力データを表示する。
【００５２】
本実施形態の情報端末装置３は、通信装置２と直接通信することができず、無線ルータ５を介して情報端末装置３と通信を行う。なお、無線ルータ５は必須の構成ではなく、通信装置２と情報端末装置３とが直接通信可能な場合、無線ルータ５は適宜省略可能である。
【００５３】
無線ルータ５は、通信装置２との間では例えばＥｔｈｅｒｎｅｔ（登録商標）規格に準拠した通信プロトコルで通信を行う。また、無線ルータ５及び情報端末装置３は、Ｗｉ−Ｆｉ（登録商標）規格に準拠した無線ＬＡＮの通信インタフェースを備えており、相互に無線信を行っている。したがって、通信装置２は、無線ルータ５を介して情報端末装置３と通信可能である。なお、無線ルータ５と情報端末装置３との通信は、Ｗｉ−Ｆｉ（登録商標）規格に準拠した無線通信に限定されず、Ｂｌｕｅｔｏｏｔｈ（登録商標）規格に準拠した無線通信でもよい。
【００５４】
次に、情報端末装置３について図１及び図２を参照して説明する。
【００５５】
情報端末装置３は、図２に示すように、演算処理部３０と、表示部３４と、操作部３５と、通信部３６と、記憶部３７とを備えている。
【００５６】
演算処理部３０は、例えばＣＰＵおよびメモリを有するコンピュータを主構成とする。ＣＰＵがメモリに格納されているプログラムを実行することによって、情報端末装置３の機能（例えば、取得部３１、表示制御部３２、判断部３３などの機能）が実現される。プログラムは、コンピュータのメモリに、あらかじめ記録されているが、インターネットなどの電気通信回線を通じて提供されてもよいし、メモリカードなどの記録媒体に記録されて提供されてもよい。
【００５７】
取得部３１は、計測ユニット４１によって計測された電力データを通信装置２から取得する処理（第１ステップ）を行う。
【００５８】
表示制御部３２は、表示部３４の表示状態を制御しており、電力データを表示部３４に表示させる処理（第２ステップ）を行う。
【００５９】
判断部３３は、通信装置２（計測システム４）から受け取った設定情報をもとに、需要家施設１０に発電装置９０が設置されているか否かを判断する処理（第３ステップ）を行う。ここにおいて、設定情報とは、各分岐回路７０に接続される負荷の種類や発電装置９０の有無などの情報であり、需要家施設１０の電気工事を行う際などに、計測システム４の通信装置２に設定されている。
【００６０】
表示部３４は、例えば液晶ディスプレイのような薄型のディスプレイ装置で構成されている。
【００６１】
操作部３５は、表示部３４を構成するディスプレイ装置に設けられたタッチパネルである。
【００６２】
通信部３６は、例えばＷｉ−Ｆｉ（登録商標）規格に準拠した無線ＬＡＮの通信インタフェースであり、無線ルータ５との間で無線通信を行う。
【００６３】
記憶部３７は、例えば、ＥＥＰＲＯＭ又はフラッシュメモリなどの電気的に書き換え可能な不揮発性メモリからなる。記憶部３７には、表示部３４の画面に表示させるホーム画面などの画面データが記憶されている。
【００６４】
（３）動作説明
以下に、本実施形態の情報表示システム１による電力データの表示動作を説明する。
【００６５】
まず、需要家施設１０に、太陽光発電装置９１と燃料電池９４とが設置されている場合について説明する。
【００６６】
需要家施設１０の通信装置２には、需要家施設１０の電気工事を行う際などに、各分岐回路７０に接続される負荷の種類や、発電装置９０の有無などの設定情報が登録される。
【００６７】
計測システム４では、計測ユニット４１が、電流センサ４２の計測結果に基づいて、主幹電力を所定の計測間隔で計測する。計測ユニット４１は、電流センサ４３の計測結果に基づいて、分岐回路７０ごとの使用電力と燃料電池９４で発生した発電電力とを所定の計測間隔で計測する。計測ユニット４１は、電流センサ４４の計測結果に基づいて、太陽光発電装置９１で発生した発電電力を所定の計測間隔で計測する。
【００６８】
通信装置２の入力部２１は、計測ユニット４１から、主幹電力と、分岐回路ごとの使用電力と、太陽光発電装置９１の発電電力と、燃料電池９４の発電電力との計測結果を所定の時間ごとに取り込む。演算処理部２０は、入力部２１が計測ユニット４１から取り込んだ計測結果を記憶部２２に記憶させている。また、演算処理部２０は、主幹電力、分岐回路ごとの使用電力、太陽光発電装置９１の発電電力、及び燃料電池９４の発電電力をそれぞれ積算する。そして、演算処理部２０は、所定の期間（例えば３０分、１日、１ヶ月）ごとの主幹電力量、分岐回路ごとの使用電力量、太陽光発電装置９１の発電電力量、及び燃料電池９４の発電電力量を記憶部２２に記憶させている。
【００６９】
情報表示システム１によるサービスの提供を受ける顧客（情報端末装置３の使用者）が、情報端末装置３を用いて需要家施設１０における各種の電力データを確認したい場合、電力データの表示を制御する制御プログラム（アプリケーションプログラム）を情報端末装置３にインストールする。この制御プログラムは、電気通信回線を介して、あるいは記録媒体に記憶された状態で提供されてもよいし、あらかじめ情報端末装置３のメモリに記憶されていてもよい。なお、情報端末装置３の使用者は、需要家施設１０の使用者と同一人であってもよいし、別人であってもよい。「需要家施設１０の使用者」は、需要家施設１０を使用する人を意味し、需要家施設１０が住宅である本実施形態においては、需要家施設１０の住人である。需要家施設１０の住人が複数人である場合には、「需要家施設１０の使用者」は、複数の住人のうちの一人を指すこともあり、二人以上（全員も含む）を指すこともある。以下では「需要家施設１０の使用者」を単に「住人」ともいう。
【００７０】
情報端末装置３の使用者が、操作部３５を操作して制御プログラムを初めて起動させると、制御プログラムに通信装置２を登録する処理が行われる。
【００７１】
制御プログラムに通信装置２を登録する処理が完了すると、情報端末装置３の使用者は、操作部３５を操作して各分岐回路７０の表示名などを設定する初期設定を行う。この設定内容は記憶部３７に記憶される。情報端末装置３の使用者が操作部３５を用いてバックアップ操作を行うと、記憶部３７に記憶された設定内容が通信部３６から通信装置２に送信され、通信装置２に記憶される。また、情報端末装置３の使用者が操作部３５を用いてリストア操作を行うと、通信部３６から通信装置２に要求信号が送信され、通信装置２に記憶された設定内容が通信装置２から情報端末装置３に送信される。よって、情報端末装置３は、以前に設定した設定内容を通信装置２から受け取ることができる。
【００７２】
情報端末装置３の使用者が操作部３５を用いて初期設定の終了操作を行うと、情報端末装置３の表示制御部３２は、各種の電力データを表示するホーム画面を表示部３４に表示させる。
【００７３】
なお、情報端末装置３の使用者が操作部３５を操作して制御プログラムを起動させた際に初期設定が終了している場合、表示制御部３２は、各種の電力データを表示するホーム画面を表示部３４に表示させる。
【００７４】
ここで、情報端末装置３の表示制御部３２が、ホーム画面を表示部３４に表示させる場合、通信部３６から通信装置２へ電力データの送信を要求する要求信号を送信させる。通信装置２の通信部２５が情報端末装置３から要求信号を受信すると、通信装置２の演算処理部２０は、各分岐回路７０に接続された負荷の情報や発電装置の有無を示す情報を含む設定情報を通信部２５から情報端末装置３に送信させる。また、通信装置２の演算処理部２０は、設定情報の送信後、各種の電力データを対応するデータエリアに格納した送信データを通信部２５から情報端末装置３に送信させる。この送信データには、現在の電力データ（主幹電力、各分岐回路の使用電力、太陽光発電装置９１の発電電力、燃料電池９４の発電電力）が格納されている。つまり、需要家施設１０に発電装置９０が設置されている場合には、情報端末装置３が通信装置２から取得する電力データに、使用電力データ（主幹電力）と、発電電力データ（太陽光発電装置９１及び燃料電池９４の発電電力）とが含まれている。
【００７５】
一方、情報端末装置３では、通信部３６が通信装置２から送信された設定情報を受信すると、判断部３３が、通信装置２（計測システム４）から受け取った設定情報をもとに、需要家施設１０に発電装置９０が設置されているか否かを判断する処理（第３ステップの処理）を行う。
【００７６】
判断部３３が、設定情報をもとに需要家施設１０に発電装置９０が設置されていると判断すると、表示制御部３２は、表示部３４に表示させる画面の表示態様を、発電電力データ及び使用電力データをホーム画面に表示させる第１表示態様とする。
【００７７】
図４Ａは、表示部３４に表示される第１表示態様のホーム画面の一例である。
【００７８】
まず、図４Ａを参照して図４Ａ〜図６Ｃに示す画面に共通する説明を行う。なお、図４Ａにおいて「上」、「下」、「左」、「右」の矢印で示す通りに各方向を規定するが、これらの方向は情報端末装置３の使用時の方向を規定する趣旨ではない。図面中の各方向を示す矢印は説明のために表記しているに過ぎず、実体を伴わない。図４Ａ〜図６Ｃにおいて、参照符号と、領域を囲む一点鎖線とは、説明のために記載しているのみで、実際の画面には表示されない。なお、図４Ａ〜図６Ｃに示す画面は一例であり、設計等に応じて適宜変更が可能である。
【００７９】
表示部３４の画面は、上下方向において３つの表示領域Ａ１，Ａ２，Ａ３に分かれている。
【００８０】
上側の表示領域Ａ１には画面の名称などが表示される。図４Ａの画面では表示領域Ａ１には、表示領域Ａ２に表示される電力データを更新するためのボタンＢ１と、表示領域Ａ２に表示される電力データの期間を切り替えるためのボタンＢ２〜Ｂ４とが表示される。図４Ａの画面では、表示領域Ａ１に「ホーム」という見出しが表示されているが、図４Ｂ〜図６Ｃの画面と同様に「電気の流れ」という見出しが表示されてもよいし、他の見出しが表示されてもよく、見出しの表示が無くてもよい。なお、図４Ｂ〜図６Ｃの画面においても表示領域Ａ１の見出しは適宜変更が可能であり、表示領域Ａ１に見出しの表示が無くてもよい。また、図４Ａのホーム画面は、使用電力、発電電力などの電力データについて現在の値を表示する画面であり、現在の電力データを選択するためのボタンＢ２が、他のボタンＢ３，Ｂ４と異なる色又は模様で表示されている。なお、ボタンＢ３は、１日ごとの電力データを表示させるための操作ボタンであり、ボタンＢ４は、１ヶ月ごとの電力データを表示させるための操作ボタンである。
【００８１】
下側の表示領域Ａ３には、表示領域Ａ１，Ａ２に表示させる内容を変更するために操作されるボタンが表示される。
【００８２】
上下方向の中央の表示領域Ａ２は、電力データを表示する表示エリアである。表示領域Ａ２内の左上には、太陽光発電装置９１の発電電力の瞬時値（発電電力データ）を表示するオブジェクトＣ１と、燃料電池９４の発電電力の瞬時値（発電電力データ）を表示するオブジェクトＣ２とが、上下に並べて表示されている。表示領域Ａ２内の右上には、売電電力の瞬時値（売電電力データ）を表示するオブジェクトＣ３と、買電電力の瞬時値（買電電力データ）を表示するオブジェクトＣ４とが上下に並べて表示されている。なお、売電電力データを表示するオブジェクトＣ３には売電電力の単価が表示され、買電電力データを表示するオブジェクトＣ４には買電電力の単価が表示される。なお、図４Ａ中の「売電力」は売電電力の瞬時値を意味し、「買電力」は買電電力の瞬時値を意味しており、図６Ａにおける「買電力」も同義である。
【００８３】
表示領域Ａ２内の下側には、需要家施設１０における使用電力を表示するオブジェクトＣ５が表示されている。オブジェクトＣ５には、需要家施設１０の全体の使用電力と、分岐回路ごとの使用電力とが表示されている。図４Ａの例では各分岐回路の表示名と使用電力とが左右に並べて表示されており、例えば使用電力が多い順番で上から並べて表示されている。図４Ａの画面では、オブジェクトＣ５の下側が表示領域Ａ２からはみ出しているが、スワイプなどの操作を行うことで、オブジェクトＣ５の表示位置を上側に移動させ、オブジェクトＣ５の全体を表示することができる。なお、オブジェクトＣ５には、全ての分岐回路の使用電力が表示されていなくてもよい。オブジェクトＣ５には、例えば使用電力が多い順番に所定数の分岐回路について使用電力が表示されてもよいし、ユーザが設定した１以上の分岐回路を含む複数の分岐回路について使用電力が表示されてもよい。また、図４の画面に、分岐回路の使用電力を表示する画面に遷移するためのボタンが表示させていてもよく、このボタンが操作された場合に、各分岐回路の表示面と使用電力とを一画面に表示させてもよい。
【００８４】
なお、図４Ａの画面は第１表示態様のホーム画面の一例であって、第１表示態様のホーム画面は図４Ａの画面に限定されず、第１表示態様において発電電力データと使用電力データとが少なくとも表示されていれば、図４Ａ以外の画面でもよい。
【００８５】
表示制御部３２は、通信部３６が受信した送信データから、主幹電力、各分岐回路７０の使用電力、太陽光発電装置９１の発電電力、燃料電池９４の発電電力などの電力データを取り込む。そして、表示制御部３２は、これらの電力データから、買電電力、売電電力、及び需要家施設１０の全体の使用電力を求めている。例えば、表示制御部３２は、通信装置２から受け取った主幹電力が正の値であれば、主幹電力の値を買電電力の瞬時値とし、主幹電力が負の値であれば、主幹電力の絶対値を売電電力の瞬時値として求める。また、表示制御部３２は、主幹電力に太陽光発電装置９１の発電電力と、燃料電池９４の発電電力とを加算することで、需要家施設１０の全体の使用電力を求めている。そして、表示制御部３２は、記憶部３７に記憶されたホーム画面の画面データを呼び出し、ホーム画面の各オブジェクトＣ１〜Ｃ５に対応する電力データを当てはめた画面データを作成して、表示部３４に表示させる。
【００８６】
また、表示制御部３２は、ホーム画面の表示領域Ａ２内に電気の流れを示す矢印Ｄ１〜Ｄ４を表示させる。
【００８７】
矢印Ｄ１は、太陽光発電装置９１から交流電源８に逆潮流される電気の流れを示している。太陽光発電装置９１の発電電力がゼロの場合、又は太陽光発電装置９１が発電しているときでも売電電力がゼロの場合、表示制御部３２は矢印Ｄ１を画面に表示させない。なお、表示制御部３２は、例えば矢印Ｄ１の表示色を変えるなど、矢印Ｄ１の表示態様を変更してもよい。
【００８８】
矢印Ｄ２は、太陽光発電装置９１から需要家施設１０の負荷に供給される電気の流れを示している。太陽光発電装置９１の発電電力がゼロの場合、又は太陽光発電装置９１の発電電力が売電電力と等しい場合、表示制御部３２は矢印Ｄ２を画面に表示させない。なお、表示制御部３２は、例えば矢印Ｄ２の表示色を変えるなど、矢印Ｄ２の表示態様を変更してもよい。
【００８９】
矢印Ｄ３は、燃料電池９４から需要家施設１０の負荷に供給される電気の流れを示している。燃料電池９４の発電電力がゼロの場合、表示制御部３２は矢印Ｄ３を画面に表示させない。なお、表示制御部３２は、例えば矢印Ｄ３の表示色を変えるなど、矢印Ｄ３の表示態様を変更してもよい。
【００９０】
矢印Ｄ４は、交流電源８から需要家施設１０に供給される電気の流れを示している。主幹電力がゼロの場合、表示制御部３２は矢印Ｄ４を画面に表示させない。なお、表示制御部３２は、例えば矢印Ｄ４の表示色を変えるなど、矢印Ｄ４の表示態様を変更してもよい。
【００９１】
ここで、情報端末装置３の使用者が、電力データの期間を１日ごとに切り替えるためにボタンＢ３をタップする操作を行うと、表示制御部３２は、操作部３５から入力される操作信号に応じて、１日ごとの電力データを表示させる画面を表示部３４に表示させる。なお、電力データの期間を１日ごとに切り替えるための操作は、ボタンＢ３をタップする操作に限定されず、スワイプ、ピンチイン、ピンチアウトなどの操作でもよい。
【００９２】
情報端末装置３の演算処理部３０は、通信部３６から通信装置２に１日ごとの電力データを要求する要求信号を送信させる。通信装置２が要求信号を受けて１日ごとの電力データを含む送信データを情報端末装置３に送信すると、情報端末装置３の通信部３６がこの送信データを受信し、取得部３１が１日ごとの電力データを取得する。
【００９３】
図５Ａの画面は、使用電力、発電電力などの電力データについて１日ごとの積算値を表示する画面である。
【００９４】
表示領域Ａ２には、使用電力、発電電力などの電力データについて１日ごとの積算値が表示される。
【００９５】
表示領域Ａ２内の上側には、電力データの表示対象の日にちを表示する表示領域Ａ２１が設けられている。表示領域Ａ２１の左右には、電力データの表示対象の日にちを変更するためのボタンＢ１１，Ｂ１２が表示されている。情報端末装置３の使用者がボタンＢ１１又はボタンＢ１２をタップすると、表示領域Ａ２１に表示された日の前日又は翌日の電力量が表示領域Ａ２に表示される。ボタンＢ１１，Ｂ１２の操作によって表示対象の日にちを前後にずらすことができ、使用者が使用電力の多い日などを確認することで、節電行動の動機付けになる場合がある。なお、電力データの表示対象の日を前後にずらすための操作は、ボタンＢ１１，Ｂ１２をタップする操作に限定されず、スワイプ、ピンチイン、ピンチアウトなどの操作でもよい。
【００９６】
表示領域Ａ２内の左上には、太陽光発電装置９１の当日の発電電力量（発電電力データ）を表示するオブジェクトＣ１１と、燃料電池９４の当日の発電電力量（発電電力データ）を表示するオブジェクトＣ１２とが、上下に並べて表示されている。表示領域Ａ２内の右上には、当日の売電電力量（売電電力データ）を表示するオブジェクトＣ１３と、当日の買電電力量（買電電力データ）を表示するオブジェクトＣ１４とが上下に並べて表示されている。表示領域Ａ２内の下側には、需要家施設１０における当日の使用電力量（使用電力データ）を表示するオブジェクトＣ１５が表示されている。オブジェクトＣ１５には、需要家施設１０の全体の当日の使用電力量と、分岐回路ごとの当日の使用電力量とが表示されている。なお、オブジェクトＣ１３には売電電力量と売電価格とが表示され、オブジェクトＣ１４には買電電力量と買電価格とが表示される。また、オブジェクトＣ１１〜Ｃ１５には、当日の電力量と、過去の所定期間（例えば前日）における電力量との対比結果を示す対比情報が表示されている。ここでは、対比情報として、前日の電力量に対する当日の電力量の比率（この比率を増減率という）が表示されている。なお、図５Ａ中の「売電量」は売電電力量を意味し、「買電量」は買電電力量を意味しており、図５Ｂ、図６Ａ、図６Ｂ及び図６Ｃにおいても同様である。
【００９７】
また、情報端末装置３の使用者が、電力データの期間を１ヶ月ごとに切り替えるためにボタンＢ４をタップする操作を行うと（第４ステップの選択処理）、表示制御部３２は、操作部３５から入力される操作信号に応じて、表示部３４に１ヶ月ごとの電力データを表示させる。なお、電力データの期間を１月ごとに切り替えるための操作は、ボタンＢ４をタップする操作に限定されず、スワイプ、ピンチイン、ピンチアウトなどの操作でもよい。
【００９８】
情報端末装置３の演算処理部３０は、通信部３６から通信装置２に１ヶ月ごとの電力データを要求する要求信号を送信させる。通信装置２が要求信号を受けて１ヶ月ごとの電力データを含む送信データを情報端末装置３に送信すると、情報端末装置３の通信部３６がこの送信データを受信し、取得部３１が１ヶ月ごとの電力データを取得する。
【００９９】
図５Ｂの画面は、使用電力、発電電力などの電力データについて１ヶ月ごとの積算値を表示する画面である。
【０１００】
表示領域Ａ２には、使用電力、発電電力などの電力データについて１ヶ月ごとの積算値が表示される。
【０１０１】
表示領域Ａ２内の上側には、電力データの表示対象の月を表示する表示領域Ａ２２が設けられている。表示領域Ａ２２の左右には、電力データの表示対象の月を変更するためのボタンＢ１３，Ｂ１４が表示されている。情報端末装置３の使用者がボタンＢ１３又はボタンＢ１４をタップすると、表示領域Ａ２２に表示された月の前月又は翌月の電力量が表示領域Ａ２に表示される。ボタンＢ１３，Ｂ１４の操作によって表示対象の月を前後にずらすことができ、使用者が使用電力の多い月などを確認することで、節電行動の動機付けになる場合がある。なお、電力データの表示対象の月を前後にずらすための操作は、ボタンＢ１３，Ｂ１４をタップする操作に限定されず、スワイプ、ピンチイン、ピンチアウトなどの操作でもよい。
【０１０２】
表示領域Ａ２内の左上には、太陽光発電装置９１の当月の発電電力量（発電電力データ）を表示するオブジェクトＣ２１と、燃料電池９４の当月の発電電力量（発電電力データ）を表示するオブジェクトＣ２２とが、上下に並べて表示されている。表示領域Ａ２内の右上には、当月の売電電力量（売電電力データ）を表示するオブジェクトＣ２３と、当月の買電電力量（買電電力データ）を表示するオブジェクトＣ２４とが上下に並べて表示されている。表示領域Ａ２内の下側には、需要家施設１０における当月の使用電力量（使用電力データ）を表示するオブジェクトＣ２５が表示されている。オブジェクトＣ２５には、需要家施設１０の全体の当月の使用電力量と、分岐回路ごとの当月の使用電力量とが表示されている。なお、オブジェクトＣ２３には売電電力量と売電価格とが表示され、オブジェクトＣ２４には買電電力量と買電価格とが表示される。また、オブジェクトＣ２１〜Ｃ２５には、当月の電力量と、過去の所定期間（例えば前月）における電力量との対比結果を示す対比情報が表示されている。ここでは、対比情報として、当月の電力量の前月の電力量に対する増減率が表示されている。
【０１０３】
上記の実施形態では、需要家施設１０に発電装置９０が設置されている場合について説明したが、需要家施設１０に発電装置が設置されていない場合の表示態様について以下に説明する。
【０１０４】
判断部３３が、設定情報をもとに需要家施設１０に発電装置９０が設置されていないと判断すると、表示制御部３２は、表示部３４に表示させる画面の表示態様を、第１表示態様のホーム画面（図４Ａ参照）で表示される発電電力データの代わりの代替データと、使用電力データとをホーム画面に表示させる第２表示態様とする。ここでは、表示制御部３２は、代替データとして、使用電力量の１日ごとの積算値と、使用電力量の１ヶ月ごとの積算値とを表示させる。
【０１０５】
図４Ｂのホーム画面は、使用電力の瞬時値と積算値とを表示する画面である。
【０１０６】
表示領域Ａ１には、表示領域Ａ２に表示される電力データを更新するためのボタンＢ１が表示される。
【０１０７】
表示領域Ａ２内の下側には、需要家施設１０における使用電力（使用電力データ）を表示するオブジェクトＣ５が表示されている。オブジェクトＣ５には、需要家施設１０の全体の使用電力と、分岐回路ごとの使用電力とが表示されている。
【０１０８】
表示領域Ａ２の左上には、１日ごとの使用電力量（使用電力データ）を表示するオブジェクトＣ６が表示されている。オブジェクトＣ６内には、使用電力量の表示対象の日にち表示する表示領域Ａ２３が設けられている。表示領域Ａ２３の左右には、使用電力量の表示対象の日にちを変更するためのボタンＢ５，Ｂ６が表示されている。情報端末装置３の使用者がボタンＢ５又はボタンＢ６をタップすると、表示制御部３２は、表示領域Ａ２３に表示された日の前日又は翌日の使用電力量をオブジェクトＣ６に表示させ、表示領域Ａ２３の日にちを更新する。なお、電力データの表示対象の日にちを前後にずらすための操作は、ボタンＢ５，Ｂ６をタップする操作に限定されず、スワイプ、ピンチイン、ピンチアウトなどの操作でもよい。
【０１０９】
表示領域Ａ２の右上には、１ヶ月ごとの使用電力量を表示するオブジェクトＣ７が表示されている。オブジェクトＣ７内には、使用電力量の表示対象の月を表示する表示領域Ａ２４が設けられている。表示領域Ａ２４の左右には、使用電力量の表示対象の月を変更するためのボタンＢ７，Ｂ８が表示されている。情報端末装置３の使用者がボタンＢ７又はボタンＢ８をタップすると、表示制御部３２は、表示領域Ａ２４に表示された月の前月又は翌月の使用電力量をオブジェクトＣ６に表示させ、表示領域Ａ２３の日にちを更新する。なお、電力データの表示対象の月を前後にずらすための操作は、ボタンＢ７，Ｂ８をタップする操作に限定されず、スワイプ、ピンチイン、ピンチアウトなどの操作でもよい。
【０１１０】
ここにおいて、第２表示態様のホーム画面（図４Ｂ参照）で表示される使用電力量の１日ごとの積算値、及び使用電力量の１ヶ月ごとの積算値は、第１表示態様ではホーム画面（図４Ａの画面）から遷移した別の画面（図５Ａ、図５Ｂの画面）で表示される。
【０１１１】
このように、第２表示態様のホーム画面では、発電装置９０の発電電力の代わりに代替データを表示しているので、発電装置９０の発電電力の代わりに何も表示しない場合に比べて、情報量を増やすことができる。需要家施設１０に発電装置９０が設置されていない場合でもホーム画面で表示される情報量を増やすことができる。
【０１１２】
また、本実施形態では、第１表示態様のホーム画面には、発電電力データと、使用電力データと、買電電力データとが表示されるが、第２表示態様のホーム画面には、全体の使用電力と買電電力とが同じになるので、買電電力データが表示されない。なお、本実施形態では、第１表示態様のホーム画面に、発電電力データと、使用電力データと、買電電力データとに加えて、売電電力データも表示されている。
【０１１３】
なお、図４Ｂの画面は第２表示態様のホーム画面の一例であって、第２表示態様のホーム画面は図４Ｂの画面に限定されない。第２表示態様のホーム画面は、第１表示態様のホーム画面で表示される発電電力データの代わりの代替データと、使用電力データとが少なくとも表示されれば、図４Ｂ以外の画面でもよい。
【０１１４】
（４）変形例
以下に、上記実施形態の変形例に係る情報端末装置及び情報表示システムを列記する。なお、以下に説明する変形例の各構成は、上記実施形態で説明した各構成と適宜組み合わせて適用可能である。
【０１１５】
情報端末装置３の表示制御部３２は、図４Ａ〜図６Ｃの画面において、使用電力量の電力データを表示する場合に、電気料金を一緒に表示してもよい。
【０１１６】
発電装置９０は、需要家施設１０の建物の外に設置されていてもよく、需要家施設１０の建物とは離れた場所にあってもよい。
【０１１７】
上記の実施形態では、需要家施設１０には複数種類の発電装置９０が設置されており、情報端末装置３の表示部３４には、複数の発電装置９０のそれぞれについて発電電力又は発電電力量が表示されているが、発電装置９０は一つでもよい。
【０１１８】
需要家施設１０に太陽光発電装置９１のみが設置されている場合、表示部３４に表示される画面は、図４Ａ、図４Ｂ、図５Ａ、図５Ｂに示した画面において燃料電池９４に対応するオブジェクトが表示されないような画面となる。
【０１１９】
また、需要家施設１０に燃料電池９４のみが設置されている場合、燃料電池９４で発生した発電電力は交流電源８に逆潮流されない。したがって、表示制御部３２は、電力データの瞬時値を表示部３４に表示させる場合、図４Ａの画面から太陽光発電装置９１及び売電電力のオブジェクトＣ１，Ｃ３と矢印Ｄ１，Ｄ２とを無くしたような画面（図６Ａ参照）を表示部３４に表示させる。表示制御部３２は、１日ごとの電力量を表示部３４に表示させる場合、図５Ａの画面から太陽光発電装置９１及び売電電力のオブジェクトＣ１１，Ｃ１３と矢印Ｄ１，Ｄ２とを無くしたような画面（図６Ｂ参照）を表示部３４に表示させる。表示制御部３２は、１ヶ月ごとの電力量を表示部３４に表示させる場合、図５Ｂの画面から太陽光発電装置９１及び売電電力のオブジェクトＣ２１，Ｃ２３と矢印Ｄ１，Ｄ２とを無くしたような画面（図６Ｃ参照）を表示部３４に表示させる。
【０１２０】
また、情報表示システム１は、１つの装置に限らず複数の装置によって構成されてもよい。つまり、情報表示システム１は一例として、情報端末装置３が、他の装置（例えばＨＥＭＳ（Home Energy Management System）のコントローラや外部のサーバ装置）で作成された画面データを他の装置から受け取って、表示部３４に表示させてもよい。また、表示制御部３２の機能が、２以上の装置に分散して設けられていてもよい。表示制御部３２は、情報端末装置３ではなく、ＨＥＭＳのコントローラやサーバ装置などに設けられもよい。この場合、ＨＥＭＳのコントローラ又はサーバ装置で、情報端末装置３に表示させる画面が作成され、表示端末装置３は、他の装置で作成された画面データを表示するブラウザ機能を備えていればよい。また、情報表示システム１は、クラウド（クラウドコンピューティング）によって実現されてもよい。
【０１２１】
また、通信機能を有する電力量計７が主幹ブレーカ６１の一次側に接続されており、この電力量計７と通信装置２とが通信可能な場合、通信装置２は、電力量計７から取得した電力データをもとに、主幹電力（又は主幹電力量）、各分岐回路７０での使用電力（又は使用電力量）を求めてもよい。
【０１２２】
（５）まとめ
以上説明したように、第１の態様の情報端末装置３の制御方法は、表示部３４を有する情報端末装置３の制御方法であって、第１ステップと、第２ステップとを含む。第１ステップは、需要家施設１０において使用電力に関する使用電力データを少なくとも含む電力データを計測する計測システム４から電力データを受け取るステップである。第２ステップは、電力データを表示部３４に表示させるステップである。第２ステップにおいて、需要家施設１０に１以上の発電装置９０が設置されており、電力データに、使用電力データと、発電装置の発電電力に関する発電電力データとが含まれているときは、表示部３４に表示させる画面の表示態様を、発電電力データ及び使用電力データをホーム画面に表示させる第１表示態様とする。第２ステップにおいて、需要家施設１０に発電装置９０が設置されていないときは、表示部３４に表示させる画面の表示態様を、第１表示態様のホーム画面で表示される発電電力データの代わりの代替データ、及び使用電力データをホーム画面に表示させる第２表示態様とする。
【０１２３】
これにより、需要家施設１０に発電装置９０が設置されていないときは、第２表示態様のホーム画面に、第１表示態様のホーム画面で表示される発電電力データの代わりの代替データが表示される。したがって、第２表示態様のホーム画面で、発電電力データの代わりに何も表示されない場合に比べて、第２表示態様のホーム画面で表示される情報量を増やすことができる。
【０１２４】
第２の態様の情報端末装置３の制御方法は、第１の態様において、計測システム４から受け取った設定情報をもとに、需要家施設１０に発電装置９０が設置されているか否かを判断する第３ステップを、さらに含んでもよい。
【０１２５】
これにより、情報端末装置３の使用者が、需要家施設１０に発電装置９０が設置されているか否かを設定する必要が無く、情報端末装置３は、計測システム４から受け取った設定情報をもとに発電装置９０の有無を判断できる。
【０１２６】
第３の態様の情報端末装置３の制御方法は、第１又は第２の態様において、代替データは、第１表示態様においてホーム画面とは別の画面に表示されるデータであることが好ましい。
【０１２７】
これにより、第２表示態様のホーム画面では、第１表示態様ではホーム画面とは別の画面に表示されるデータ（代替データ）と使用電力データとを１つの画面で確認できる。
【０１２８】
第４の態様の情報端末装置３の制御方法は、第１〜第３のいずれかの態様において、第２ステップにおいて、第１表示態様のホーム画面には、発電電力データと、使用電力データと、買電電力に関する買電電力データとを表示させ、第２表示態様のホーム画面には、買電電力データを表示させないことが好ましい。第１表示態様のホーム画面には発電電力データと使用電力データと買電電力データとが表示されるので、電力の収支状態を把握しやすくなる。また、需要家施設１０に発電装置９０が設置されていない場合、使用電力データと買電電力データとが同じになるので、第２表示態様のホーム画面では買電電力データの表示を省くことができる。
【０１２９】
第５の態様の情報端末装置３の制御方法は、第１〜第４のいずれかの態様において、第２ステップにおいて、第１表示態様のホーム画面には、発電電力データと、使用電力データと、買電電力に関する買電電力データと、売電電力に関する売電電力データとを表示させてもよい。第１表示態様のホーム画面には発電電力データと使用電力データと買電電力データと売電電力データとが表示されるので、電力の収支状態を把握しやすくなる。また、発電電力データが、使用電力データ、買電電力データ、及び売電電力データと同じ画面に表示されるので、発電装置の発電電力で需要家施設の使用電力を賄えているか否かを容易に把握でき、節電行動の動機付けになる。
【０１３０】
第６の態様の情報端末装置３の制御方法は、第１〜第５のいずれかの態様において、第２ステップにおいて、需要家施設１０に複数の発電装置９０が設置されているときに、第１表示態様のホーム画面には、複数の発電装置９０のそれぞれについて発電電力データを表示させてもよい。これにより、第１表示態様のホーム画面に基づいて複数の発電装置９０のそれぞれの発電電力データを確認することができる。
【０１３１】
第７の態様の情報端末装置３の制御方法は、第１〜第６のいずれかの態様において、第２ステップにおいて、第１表示態様のホーム画面に、発電電力データ及び使用電力データの瞬時値を表示させるか、発電電力データ及び使用電力データの積算電力を表示させるかを選択する第４ステップを、さらに含んでもよい。
【０１３２】
これにより、第１表示態様のホーム画面において、発電電力データ及び使用電力データの瞬時値を表示させるか、発電電力データ及び使用電力データの積算電力を表示させるかを選択することができる。したがって、情報端末装置３の使用者は瞬時値の表示と積算電力の表示とを切り替えることができる。
【０１３３】
ここで、第４ステップにおいて、瞬時値を表示するか積算電力を表示するかを選択するためのオブジェクト（ボタンＢ２〜Ｂ４）を第１表示態様のホーム画面に表示させてもよい。
【０１３４】
これにより、第１表示態様のホーム画面に表示されたオブジェクトを操作することで、発電電力データ及び使用電力データの瞬時値を表示させるか、発電電力データ及び使用電力データの積算電力を表示させるかを選択することができる。また、積算電力を表示する期間を前後にずらすためのオブジェクトを表示させてもよく、オブジェクトを操作して積算電力を表示する期間を変更することで、使用電力の多い期間などを確認することができる。
【０１３５】
第８の態様の情報端末装置３の制御方法は、第１〜第７の態様において、第２ステップにおいて、現在の電力データと、過去の所定期間における電力データとの対比結果を示す対比情報をホーム画面に表示してもよい。ホーム画面に表示された対比情報をもとに、電力データの時間的な変化を把握できる。したがって、過去の所定期間における電力データに比べて、現在の電力データが増加又は減少した場合、情報端末装置３の使用者が、使用電力が増加又は減少した原因を検討することで、使用者の節電行動を誘発することができる。
【０１３６】
ここで、対比情報は、過去の所定期間における電力データに対する現在の電力データの増減率であることも好ましい。ホーム画面に表示された増減率をもとに、電力データの時間的な変化を把握できる。
【０１３７】
第９の態様の制御プログラムは、コンピュータに、第１〜第８の態様の情報端末装置３の制御方法を実行させるための制御プログラムである。
【０１３８】
これにより、需要家施設１０に発電装置９０が設置されていないときは、第２表示態様のホーム画面に、第１表示態様のホーム画面で表示される発電電力データの代わりの代替データが表示される。したがって、第２表示態様のホーム画面で、発電電力データの代わりに何も表示されない場合に比べて、第２表示態様のホーム画面で表示される情報量を増やすことができる。
【０１３９】
第１０の態様の情報表示システム１は、需要家施設１０に設けられた分電盤６に設置される通信装置２と、需要家施設１０における電力データを表示する情報端末装置３とを備える。通信装置２は、需要家施設１０において使用電力に関する使用電力データを少なくとも含む電力データを計測する計測システム４から電力データを取得して、情報端末装置３に出力するように構成される。情報端末装置３は、通信装置２から電力データを受け取る取得部３１と、表示部３４と、電力データを表示部３４に表示させる表示制御部３２とを備える。表示制御部３２は、需要家施設１０に１以上の発電装置９０が設置されており、電力データに、使用電力データと、発電装置９０の発電電力に関する発電電力データとが含まれているときは、表示部３４に表示させる画面の表示態様を、発電電力データ及び使用電力データをホーム画面に表示させる第１表示態様とする。表示制御部３２は、需要家施設１０に発電装置９０が設置されていないときは、表示部３４に表示させる画面の表示態様を、第１表示態様のホーム画面で表示される発電電力データの代わりの代替データ、及び使用電力データをホーム画面に表示させる第２表示態様とする。
【０１４０】
これにより、需要家施設１０に発電装置９０が設置されていないときは、第２表示態様のホーム画面に、第１表示態様のホーム画面で表示される発電電力データの代わりの代替データが表示される。したがって、第２表示態様のホーム画面で、発電電力データの代わりに何も表示されない場合に比べて、第２表示態様のホーム画面で表示される情報量を増やすことができる。
【符号の説明】
【０１４１】
１  情報表示システム
２  通信装置
３  情報端末装置
４  計測システム
６  分電盤
１０  需要家施設
３１  取得部
３２  表示制御部
３３  判断部
３４  表示部
【図１】
2018007472.tif 000003
【図２】
2018007472.tif 000004
【図３】
2018007472.tif 000005
【図４】
2018007472.tif 000006
【図５】
2018007472.tif 000007
【図６】
2018007472.tif 000008